(57)【特許請求の範囲】
【請求項１】
パネルの取付孔と係合可能に形成された係止部と、前記パネルに配索される電線束が載置される載置部と、を備えた外装部品が、前記電線束に束ねられる電線に一体成形された外装部品付電線において、
前記載置部には、前記電線が固定される固定部と、前記載置部に前記電線束が載置された際に、前記電線束の外周面上を周方向に前記載置部が移動するのを規制する規制突起が設けられ、
前記規制突起は、前記固定部から突出していることを特徴とする外装部品付電線。
【請求項２】
前記規制突起には、前記規制突起の先端に設けられ、前記先端に向かって先細りされた先細部が設けられていることを特徴とする請求項１に記載の外装部品付電線。
【請求項３】
前記規制突起は、前記載置部から立設された壁部と、前記壁部に直交する方向に延長された幅広部と、が形成されていることを特徴とする請求項１に記載の外装部品付電線。
【請求項４】
前記載置部には、前記載置部の中央部に前記規制突起が立設され、前記載置部の両側部に前記規制突起に対向すると共に前記電線束を抱持する抱持片がそれぞれ立設されていることを特徴とする請求項１又は請求項２に記載の外装部品付電線。
【請求項５】
パネルの取付孔と係合可能に形成された係止部と、前記パネルに配索される電線束が載置される載置部と、を備えた外装部品が、前記電線束に束ねられる電線に一体成形された外装部品付電線において、
前記載置部には、前記載置部に前記電線束が載置された際に、前記電線束の外周面上を周方向に前記載置部が移動するのを規制する規制突起が設けられ、
前記規制突起は、前記載置部から立設された壁部と、前記電線が固定される固定部と、を備え、
前記固定部は、前記壁部のうち前記載置部から離れた自由端部側に設けられていることを特徴とする外装部品付電線。
【請求項６】
前記壁部は、前記自由端部側が当該壁部に直交する方向に膨出していることを特徴とする請求項５に記載の外装部品付電線。
【請求項７】
請求項１〜請求項６のいずれか一項に記載の外装部品付電線と、電線束と、を有することを特徴とするワイヤハーネス。
【発明の詳細な説明】
【技術分野】
【０００１】
本発明は、ワイヤハーネスが配索されるパネルの取付孔に係合する外装部品が電線に一体成形された外装部品付電線、および、前記外装部品付電線を有するワイヤハーネスに関する。
【背景技術】
【０００２】
自動車等には、種々の電子機器と電装品とが搭載されている。前記電子機器や電装品には、バッテリなどの電源等からの電力や制御装置からの制御信号などを伝えるワイヤハーネスがコネクタやターミナルを介して電気的に接続されている。
【０００３】
ワイヤハーネスは、自動車等の車体を構成するパネルに配索されている。ワイヤハーネスには、前記パネルに設けられた取付孔に係合する外装部品としての配線用クリップ、ワイヤハーネス用チューブ、ワイヤハーネス用プロテクタ等が設けられている。外装部品としての配線用クリップ、および、前記配線用クリップを有するワイヤハーネスとして、種々提案されている（例えば、特許文献１〜特許文献３参照。）。
【先行技術文献】
【特許文献】
【０００４】
【特許文献１】特開２００２−３１５１６４号公報
【特許文献２】特開２００５−２６１７８号公報
【特許文献３】特開２００６−１４５６９号公報
【発明の概要】
【発明が解決しようとする課題】
【０００５】
しかしながら、特許文献１〜特許文献３に記載の配線用クリップには、前記配線用クリップに集束された電線の外周面の周方向に該配線用クリップが移動するのを規制する手段が設けられていない。このため、前記配線用クリップが取り付けられた前記電線束にテープ等を捲回してワイヤハーネスを形成した時に、前記テープ等の捲回によって、前記配線用クリップの取付位置が前記電線束の外周面の周方向に移動する。さらに、前記ワイヤハーネスを前記パネルに配索した時に、前記パネルに配索された前記ワイヤハーネスの前記電線束にねじりモーメントが生じると、前記電線束が捻れる。
【０００６】
本発明は、ワイヤハーネスを構成する電線の外周面の周方向の移動が規制された外装部品付電線、および、前記外装部品付電線を有するワイヤハーネスを提供することを目的とする。
【課題を解決するための手段】
【０００７】
前記課題を解決し目的を達成するために、請求項１に記載された発明は、パネルの取付孔と係合可能に形成された係止部と、前記パネルに配索される電線束が載置される載置部と、を備えた外装部品が、前記電線束に束ねられる電線に一体成形された外装部品付電線において、前記載置部には、前記電線が固定される固定部と、前記載置部に前記電線束が載置された際に、前記電線束の外周面上を周方向に前記載置部が移動するのを規制する規制突起が設けられ、前記規制突起は、前記固定部から突出していることを特徴とする外装部品付電線である。
【０００８】
請求項２に記載された発明は、前記規制突起には、前記規制突起の先端に設けられ、前記先端に向かって先細りされた先細部が設けられていることを特徴とする請求項１に記載の外装部品付電線である。
【０００９】
請求項３に記載された発明は、前記規制突起は、前記載置部から立設された壁部と、前記壁部に直交する方向に延長された幅広部と、が形成されていることを特徴とする請求項１に記載の外装部品付電線である。
【００１０】
請求項４に記載された発明は、前記載置部には、前記載置部の中央部に前記規制突起が立設され、前記載置部の両側部に前記規制突起に対向すると共に前記電線束を抱持する抱持片がそれぞれ立設されていることを特徴とする請求項１又は請求項２に記載の外装部品付電線である。また、請求項５に記載された発明は、パネルの取付孔と係合可能に形成された係止部と、前記パネルに配索される電線束が載置される載置部と、を備えた外装部品が、前記電線束に束ねられる電線に一体成形された外装部品付電線において、前記載置部には、前記載置部に前記電線束が載置された際に、前記電線束の外周面上を周方向に前記載置部が移動するのを規制する規制突起が設けられ、前記規制突起は、前記載置部から立設された壁部と、前記電線が固定される固定部と、を備え、前記固定部は、前記壁部のうち前記載置部から離れた自由端部側に設けられていることを特徴とする外装部品付電線である。また、請求項６に記載された発明は、前記壁部は、前記自由端部側が当該壁部に直交する方向に膨出していることを特徴とする請求項５に記載の外装部品付電線である。
【００１１】
請求項７に記載された発明は、請求項１〜請求項６のいずれか一項に記載の外装部品付電線と、電線束と、を有することを特徴とするワイヤハーネスである。
【発明の効果】
【００１２】
請求項１に記載された発明によれば、電線束に前記外装部品付電線が組み付けられた時に、載置部に設けられた規制突起によって、前記電線束の外周面の周方向に前記外装部品付電線が移動するのが規制される。
【００１３】
請求項２に記載された発明によれば、電線束に前記外装部品付電線が組み付けられた時に、先細部を介して規制突起が前記電線束にくい込んで該電線内に侵入するため、前記電線束の外周面の周方向に前記外装部品付電線が移動するのが規制される。
【００１４】
請求項３に記載された発明によれば、電線束と前記外装部品付電線とからなるワイヤハーネスがパネルに配索される時に、作業員がワイヤハーネスを押圧する押圧力がＴ字形状に形成された規制突起を介して係止部に伝達されるため、作業員が前記外装部品付電線の係止部を取付孔に押し込む際の押圧力が軽減される。
【００１５】
請求項４に記載された発明によれば、外装部品付電線は、前記外装部品付電線に組み付けられた電線束が抱持片と規制突起との間に抱持されるため、前記電線束に組み付けられた前記外装部品の揺動を抑制する。
【００１６】
請求項７に記載された発明によれば、外装部品付電線の載置部に設けられた規制突起によって、電線束が、前記電線束の外周面の周方向に移動するのが規制される。このため、パネルに配索されたワイヤハーネスの前記電線束にねじれモーメントが発生しても、前記電線束の捻れが防止される。
【図面の簡単な説明】
【００１７】
【図１】本発明の一実施形態にかかるワイヤハーネスの斜視図である。
【図２】図１に示すワイヤハーネスのＸ−Ｘ矢視断面図である。
【図３】図１に示すワイヤハーネスの配線用クリップ付電線の斜視図である。
【図４】図３に示す配線用クリップ付電線の側面図である。
【図５】図３に示す配線用クリップ付電線の平面図である。
【図６】図３に示す配線用クリップ付電線を成形する金型の要部断面図である。
【図７】図６に示す金型の下型の斜視図である。
【図８】本発明の第２の実施形態にかかるワイヤハーネスの配線用クリップ付電線を示す図である。（Ａ）は正面図、（Ｂ）は平面図である。
【図９】本発明の第３の実施形態にかかるワイヤハーネスの配線用クリップ付電線を示す図である。（Ａ）は正面図、（Ｂ）は平面図である。
【図１０】配線用クリップ付電線の第１の変形例を示す正面図である。
【図１１】配線用クリップ付電線の第２の変形例を示す正面図である。（Ａ）は正面図、（Ｂ）は平面図である。
【図１２】配線用クリップ付電線の第３の変形例を示す斜視図である。
【図１３】配線用クリップ付電線の第４の変形例を示す斜視図である。
【図１４】配線用クリップ付電線の第５の変形例を示す斜視図である。
【図１５】配線用クリップ付電線の第６の変形例を示す斜視図である。
【発明を実施するための形態】
【００１８】
以下、本発明の実施形態について、図１〜図１５を参照して説明する。
【００１９】
本発明の一実施形態にかかるワイヤハーネス１は、図１に示すように、電線束３と、外装部品付電線としての配線用クリップ付電線２とを有している。ワイヤハーネス１は、前記電線束３と前記配線用クリップ付電線２とがワイヤハーネス用テープ９によって捲回されて形成されている。
【００２０】
電線束３は、図２に示すように、複数本の電線１０からなる。電線１０は、導電性の芯線１１と、絶縁性の被覆部１２とを有している。芯線１１は、複数本の導線が撚られて形成されている。導線は、導電性の金属からなる。被覆部１２は、前記芯線１１を被覆しており、ポリ塩化ビニル樹脂などの合成樹脂からなる。なお、芯線１１は、一本の導線から構成されても良い。
【００２１】
配線用クリップ付電線２は、図３に示すように、電線６と外装部品としての配線用クリップ５とを有している。なお、外装部品は、ワイヤハーネス用プロテクタ、ワイヤハーネス用チューブ等でも良い。
【００２２】
電線６は、図２に示すように、導電性の芯線７と、絶縁性の被覆部８とを有している。芯線７は、複数本の導線が撚られて形成されている。芯線７を構成する導線は、導電性の金属からなる。被覆部８は、前記芯線７を被覆している。このため、電線６の外表面は、被覆部８の外表面となる。なお、芯線７は、一本の導線から構成されても良い。
【００２３】
配線用クリップ５は、図４に示すように、前記電線束３が載置される載置部１４と、パネルの取付孔に係合可能に形成された係止部１８とを備えている。配線用クリップ５は、可撓性を有するポリプロピレン樹脂などの合成樹脂で構成されている。
【００２４】
載置部１４の上面には、前記電線６が固定される固定部１５と、前記電線束３の外周面４の周方向に前記載置部１４が移動するのを規制する規制突起１６と、が設けられている。載置部１４の下面には、前記係止部１８と、前記係止部１８が前記取付孔に係止されると前記パネルを押圧する押圧部２０とが設けられている。
【００２５】
載置部１４は、図３〜図５に示すように、前記押圧部２０の外形よりも幅広に形成されている。これにより、電線束３が押圧部２０に接触するのを防止すると共に、パネルの表面に前記載置部１４の縁部が当接して該載置部１４が大きく揺動するのを抑制する。固定部１５は、図３に示すように、電線６の外形よりも肉厚の円柱形状に形成されている。固定部１５は、電線６に一体的に形成されている。
【００２６】
規制突起１６は、図３に示すように、前記固定部１５の長手方向に沿って立設されている。規制突起１６には、先端に先細部１７が設けられている。規制突起１６は、図２に示すように、前記電線束３を構成する電線１０と電線１０との間に介挿されている。このため、前記電線束３に沿って配線用クリップ付電線２が布線されたときに、前記規制突起１６が電線１０と電線１０との間にくい込む。よって、規制突起１６によって、配線用クリップ５が前記電線束３の外周面４の周方向に移動するのが規制されている。
【００２７】
なお、規制突起１６は、前記規制突起１６が前記電線束３の外周面４に食い込んで、前記電線束３の電線１０の間に介挿されるものであれば良いので、前記電線束３の外周面４を突き抜ける長さに形成されたもの、前記載置部１４に複数個立設されたもの、基端部側が膨出されたもの等でも良い。
【００２８】
先細部１７は、前記規制突起１６の先端に設けられ、前記先端が先細りされて形成されている。先細部１７は、本一実施形態においては、円弧状に形成されている。このため、先細部１７は、前記電線束３の外周面４に前記規制突起１６を食い込ませ易くする。なお、先細部１７は、前述の円弧状の他に、前記規制突起１６が基端側から先端側に向かって縮小する錐状など、前記規制突起１６の先端側が縮小する形状のものでも良い。
【００２９】
係止部１８は、図４に示すように、前記載置部１４の下面から立設された支柱２２，２３と、一対の係止片２４，２５とからなる。支柱２２，２３は、前記載置部１４の下面に直交する方向に沿って延長されている。一対の係止片２４，２５は、支柱２２，２３の先端から基端側へ延長されると共に、前記基端側に向かうに従って徐々に互いに離れるように傾斜している。一対の係止片２４，２５の揺動方向が、前記電線６の長手方向に平行となる向きに設けられている。このため、前記電線６の長手方向に作用する振動が抑えられる。
【００３０】
押圧部２０は、図３および図４に示すように、下方に向かって順次拡開されると共に下方が開口された円錐形状に形成されている。押圧部２０の縁端は、前記一対の係止片２４，２５のそれぞれの自由端が形成されている位置よりも下方に設けられている。
【００３１】
このため、係止部１８が前記パネルの前記取付孔内に侵入すると、一対の係止片２４，２５のそれぞれの自由端が互いに近接する方向に弾性変形する。その後、係止部１８が前記取付孔を挿通すると、一対の係止片２４，２５のそれぞれの自由端が弾性回復力によって互いに離間する方向に変位する。そして、一対の係止片２４，２５のそれぞれの自由端が前記取付孔の周縁に当接し、係止部１８が前記取付孔に係止する。このとき、押圧部２０の縁端が前記パネルを押圧し、係止部１８の係止力が向上し、前記係止部１８と前記取付孔とが確実に係止する。
【００３２】
配線用クリップ付電線２が成形される金型６０は、図６に示すように、水平割金型であって、上型６１と下型６２とから構成されている。上型６１と下型６２とには、前記電線６の外形に沿って形成された線条キャビティ６４と、前記電線６に取り付けられた配線用クリップ５の外形に沿って形成されたクリップ用キャビティ６３と、がそれぞれ設けられている。下型６２は、図７に示すように、線条キャビティ６４とクリップ用キャビティ６３とがそれぞれ上向きに形成されている。線条キャビティ６４は、図７に示すように、上型６１と下型６２との両端から電線６を外部に導出させる導出口６５，６６がそれぞれ設けられている。なお、金型６０は、垂直割金型であっても良い。
【００３３】
なお、金型６０は、クリップ用キャビティ６３が線条キャビティ６４上に複数個設けられていても良い。この場合の金型６０は、複数個のクリップ用キャビティ６３が、電線束３に配線用クリップ付電線２を組み付けて形成されたワイヤハーネス１がパネルに取り付けられる時に、複数個の配線用クリップ５が前記パネルの前記取付孔に係合可能となる位置に配置される。即ち、複数個の配線用クリップ５は、電線６に対する相対的な位置が前記パネルの前記取付孔に係合可能となる位置に設けられる。
【００３４】
本発明でいう、複数個の配線用クリップ５が、電線２に対する相対的な位置がパネルの取付孔に係合可能となる位置に設けられているとは、線条キャビティ６４に対してワイヤハーネス１の設計時の相対的な位置に保たれたクリップ用キャビティ６３内に溶融した樹脂を射出成形して得られた配線用クリップ付電線２において、複数個の配線用クリップ５の電線２に対する相対的な位置が、射出成形時に生じる誤差を除くと、設計時に定められた位置となっていることをいう。
【００３５】
金型６０によって成形された配線用クリップ付電線２は、布線板に設けられた結き具上に布線された電線束３の長手方向に沿って組み付けられ、図１に示すように、前記配線用クリップ付電線２の電線６と電線束３とがワイヤハーネス用テープ９で捲回されて固定される。そして、配線用クリップ付電線２を有するワイヤハーネス１が製造される。
【００３６】
上述の一実施形態にかかるワイヤハーネス１は、パネルの取付孔と係合可能に形成された係止部１８と、前記パネルに配索される電線束３が載置される載置部１４と、前記電線束３の長手方向に沿って布線される電線６と、を備えた配線用クリップ付電線２と、前記電線束３とからなる。さらに、前記載置部１４には、前記載置部１４に前記電線束３が載置された際に、前記電線束３の外周面４の周方向に前記載置部１４が移動するのを規制する規制突起１６が設けられている。
【００３７】
このため、ワイヤハーネス１は、電線束３に配線用クリップ付電線２を組み付け、ワイヤハーネス用テープ９で前記電線束３と前記配線用クリップ付電線２を捲回した時に、前記電線束３に規制突起１６がくい込むため、前記ワイヤハーネス用テープ９の捲回によって前記配線用クリップ５が前記電線束３の外周面４の周方向に移動するのを規制する。
【００３８】
また、ワイヤハーネス１は、パネルに前記ワイヤハーネス１が取り付けられた時に、前記ワイヤハーネス１にねじれモーメントが発生した場合、電線束３に規制突起１６がくい込んでいるため、電線束３がねじれるのを防止する。
【００３９】
（第２の実施形態）
次に、本発明にかかるワイヤハーネスの第２の実施形態について、図８を参照して説明する。なお、前述した実施形態と同一部分には、同一の符号を付して説明を省略する。
【００４０】
ワイヤハーネス１Ａは、図８に示すように、電線束３と配線用クリップ付電線２Ａとを有している。ワイヤハーネス１Ａは、前記電線束３と前記配線用クリップ付電線２とが図示しないワイヤハーネス用テープによって捲回されて形成されている。
【００４１】
配線用クリップ付電線２Ａは、電線６と配線用クリップ５Ａとを有している。配線用クリップ５Ａは、薄板状に形成され電線束３が載置される載置部１４と、前記パネルの取付孔に係合可能に形成された係止部１８とを有している。配線用クリップ５Ａは、可撓性を有するポリプロピレン樹脂などの合成樹脂で構成されている。
【００４２】
前記載置部１４の上面には、前記電線６が固定される固定部１５と、前記電線束３の外周面３の周方向に前記載置部１４が移動するのを規制する規制突起１６とが設けられている。前記載置部１４の下面には、前記係止部１８と、前記係止部１８が前記パネルの前記取付孔に係止されると前記パネルを押圧する押圧部２０と、が設けられている。固定部１５は、電線６に一体的に形成されると共に、前記電線６の外形よりも肉厚の略円柱形状に形成されている。
【００４３】
規制突起１６は、前記載置部１４から立設された壁部１６ａと、前記壁部１６ａの先端から該壁部１６ａに直交する方向に延長された幅広部３１とが形成され、前記規制突起１６の長手方向に対する横断面がＴ字形状に形成されている。このため、作業員がワイヤハーネス１Ａを押圧する押圧力が前記幅広部３１を介して係止部１８に伝達されるため、配線用クリップ５Ａを前記パネルの取付孔に押し込む際の作業員の押圧力が過剰となることが防止される。
【００４４】
規制突起１６は、前記幅広部３１が、作業員がワイヤハーネス１Ａを押圧する押圧力を受け止めると共に該押圧力を係止部１８に伝達させるためである。従って、規制突起１６は、横断面の形状が、前述のＴ字形状の他に、基端側と先端側とが膨出して幅広に形成されたエ字形状、前記幅広部３１から前記壁が突出した十字形状のもの等でも良い。また、規制突起１６が前記電線束３内に埋設されるものでも良い。
【００４５】
上述の第２の実施形態にかかるワイヤハーネス１Ａは、パネルの取付孔と係合可能に形成された係止部１８と、前記パネルに配索される電線束３が載置される載置部１４と、前記電線束３の長手方向に沿って布線される電線６と、を備えた配線用クリップ付電線２と、前記電線束３とからなる。さらに、前記載置部１４には、前記載置部１４に前記電線束３が載置された際に、前記電線束３の外周面４の周方向に前記載置部１４が移動するのを規制する規制突起１６が設けられている。そして、前記規制突起１６は、前記載置部１４から立設された壁部１６ａと、前記壁部１６ａに直交する方向に延長された幅広部３１と、が形成されている。
【００４６】
このため、ワイヤハーネス１Ａは、電線束３に配線用クリップ付電線２Ａを組み付け、ワイヤハーネス用テープ９で前記電線束３と前記配線用クリップ付電線２Ａを捲回した時に、前記電線束３に規制突起１６がくい込むため、前記ワイヤハーネス用テープ９の捲回によって前記配線用クリップ５Ａが前記電線束３の外周面４の周方向に移動するのを規制する。
【００４７】
また、ワイヤハーネス１Ａは、前記ワイヤハーネス１Ａがパネルの取付孔に押圧されて取り付けられる時に、作業員が電線束３を押圧する押圧力が規制突起１６の幅広部３１を介して配線用クリップ５Ａに伝達されるため、作業員が電線束３を押圧する押圧力が軽減される。
【００４８】
また、ワイヤハーネス１Ａは、規制突起１６が電線束３の外周面４から突出しているため、作業員が目視で配線用クリップ５Ａの位置を確認できる。よって、パネルの取付孔にワイヤハーネス１Ａを取り付ける作業の作業効率が向上する。
【００４９】
（第３の実施形態）
次に、本発明にかかるワイヤハーネスの第３の実施形態について、図９を参照して説明する。なお、前述した実施形態と同一部分には、同一の符号を付して説明を省略する。
【００５０】
ワイヤハーネス１Ｂは、図９に示すように、電線束３と配線用クリップ付電線２Ｂとを有している。ワイヤハーネス１Ｂは、前記電線束３と前記配線用クリップ付電線２とが図示しないワイヤハーネス用テープによって捲回されて形成されている。
【００５１】
配線用クリップ付電線２Ｂは、電線６と配線用クリップ５Ｂとを有している。配線用クリップ５Ｂは、前記電線束３が載置され薄板状に形成された載置部１４と、前記パネルの前記取付孔に係合可能に形成された係止部１８とを有している。配線用クリップ５Ｂは、可撓性を有するポリプロピレン樹脂などの合成樹脂で構成されている。
【００５２】
載置部１４の上面には、前記電線６が固定される固定部１５と、前記電線束３の外周面４の周方向に前記配線用クリップ５Ｂが移動するのを規制する規制突起１６と、前記電線束３を抱持する抱持片３２，３２とが設けられている。載置部１４の下面には、前記係止部１８と、前記係止部１８が前記取付孔に係止されると前記パネルを押圧する押圧部２０と、が設けられている。固定部１５は、電線６に一体的に形成されると共に、前記電線の外形よりも肉厚の円柱形状に形成されている。
【００５３】
規制突起１６は、前記載置部１４の中央部に壁部１６ａが立設されると共に、前記壁部１６ａが電線束３の外周面４から突出して形成されている。規制突起１６は、前記壁部１６ａの基端部側と自由端部とがそれぞれ膨出されて形成されている。規制突起１６の前記自由端側には、幅広部３１が設けられている。
【００５４】
抱持片３２，３２は、前記載置部１４の両側部に立設されると共に、前記規制突起１６の長手方向に平行に設けられている。抱持片３２，３２の自由端側には、前記抱持片３２，３２によって抱持された電線束３の取り外しを防止する膨出部３３，３３がそれぞれ設けられている。
【００５５】
上述の第３の実施形態にかかるワイヤハーネス１Ｂは、配線用クリップ５Ｂが電線６に一体成形された配線用クリップ付電線２Ｂと、電線束３と、を有している。前記配線用クリップ５には、前記電線束３の外周面４の周方向に前記配線用クリップ５が移動するのを規制する規制突起１６が設けられている。さらに、前記載置部１４には、前記載置部１４に前記電線束３が載置された際に、前記電線束３の外周面４の周方向に前記載置部１４が移動するのを規制する規制突起１６が設けられている。そして、前記載置部１４には、前記載置部１４の中央部に前記規制突起１６が設けられると共に、前記載置部１４の両側部のそれぞれに前記電線束３を抱持する抱持片３２，３２が設けられていることを特徴とする外装部品付電線。
【００５６】
このため、ワイヤハーネス１Ｂは、一方の電線束３が一方の抱持片３２に抱持され、他方の電線束３が他方の抱持片３２に抱持されるため、配線用クリップ５Ｂが前記電線束３の外周面４の周方向に移動するのをより強く規制する。
【００５７】
また、一方の電線束３が一方の抱持片３２に抱持され、他方の電線束３が他方の抱持片３２に抱持されるため、配線用クリップ５Ｂが前記電線束３に発生したねじれモーメントによって揺動したり、前記配線用クリップ５が前記電線束３に対して傾斜したりするのを防止する。
【００５８】
また、ワイヤハーネス１Ｂは、規制突起１６が電線束３の外周面４から突出しているため、作業員が目視で配線用クリップ５Ｂの位置を確認できる。よって、パネルの取付孔にワイヤハーネス１Ｂを取り付ける作業の作業効率が向上する。
【００５９】
次に、本発明にかかるワイヤハーネスの配線用クリップ付電線の一変形例について、図１０〜図１５を参照して説明する。なお、前述した実施形態と同一部分には、同一の符号を付して説明を省略する。
【００６０】
（配線用クリップ付電線の第１の変形例）
配線用クリップ付電線２Ｃは、図１０に示すように、電線６と配線用クリップ５Ｃとを有している。配線用クリップ５Ｃは、電線束３が載置され薄板状に形成された載置部１４と、前記パネルの前記取付孔に係合可能に形成された係止部１８とを有している。配線用クリップ５Ｃは、可撓性を有するポリプロピレン樹脂などの合成樹脂で構成されている。
【００６１】
載置部１４の上面には、前記電線６が固定される固定部１５と、前記電線束３の外周面４の周方向に前記配線用クリップ５Ｃが移動するのを規制する規制突起１６とが設けられている。載置部１４の下面には、前記係止部１８と、前記係止部１８が前記取付孔に係止されると前記パネルを押圧する押圧部２０と、が設けられている。
【００６２】
固定部１５は、電線６に一体的に形成されると共に、前記電線６の外形よりも肉厚の略円柱形状に形成されている。規制突起１６は、電線束３の外周面４の近傍にまで延長されて形成されている。規制突起１６には、先端に円弧形状の先細部１７が設けられている。
【００６３】
このため、ワイヤハーネス１Ｃは、規制突起１６が電線束３の外周面４から目視できるため、パネルの取付孔にワイヤハーネス１Ｃを取り付ける作業の作業効率が向上する。また、規制突起１６を作業者が押圧できるため、ワイヤハーネス１Ｃの取り付けにかかる押圧力が過剰となることが防止される。
【００６４】
（配線用クリップ付電線の第２の変形例）
配線用クリップ付電線２Ｄは、図１１に示すように、電線６と配線用クリップ５Ｄとを有している。配線用クリップ５Ｄは、電線束３が載置され薄板状に形成された載置部１４と、パネルの前記取付孔に係合可能に形成された係止部１８とを有している。配線用クリップ５Ｄは、可撓性を有するポリプロピレン樹脂などの合成樹脂で構成されている。
【００６５】
載置部１４の上面には、前記電線６が固定されると共に、前記電線束３の外周面４の周方向に前記載置部１４が移動するのを規制する規制突起１６が設けられている。載置部１４の下面には、前記係止部１８と、前記係止部１８が前記取付孔に係止されると前記パネルを押圧する押圧部２０と、が設けられている。
【００６６】
規制突起１６は、壁部１６ａが電線束３の外周面４の近傍にまで延長されて形成されている。規制突起１６は、前記壁部１６ａの基端部側と自由端部側とが膨出して形成されている。規制突起１６には、前記壁部１６ａの自由端部側に前記電線６が固定される固定部１５が設けられている。固定部１５は、電線６に一体的に形成されている。
【００６７】
このため、ワイヤハーネス１Ｄは、規制突起１６が電線束３の外周面４から目視できるため、パネルの取付孔にワイヤハーネス１Ｄを取り付ける作業の作業効率が向上する。また、規制突起１６を作業者が押圧できるため、ワイヤハーネス１Ｄの取り付けにかかる押圧力が軽減される。
【００６８】
（配線用クリップ付電線の第３の変形例）
配線用クリップ付電線２Ｅは、図１２に示すように、電線６と配線用クリップ５Ｅとを有している。配線用クリップ５Ｅは、電線束３が載置され薄板状に形成された載置部１４と、パネルの取付孔に係合可能に形成された係止部１８とを有している。配線用クリップ５Ｅは、可撓性を有するポリプロピレン樹脂などの合成樹脂で構成されている。
【００６９】
載置部１４の上面には、前記電線６が固定される固定部１５と、前記電線束３の外周面４の周方向に前記載置部１４が移動するのを規制する規制突起１６とが設けられている。載置部１４の下面には、前記係止部１８と、前記係止部１８が前記取付孔に係止されると前記パネルを押圧する押圧部２０とが設けられている。規制突起１６には、先端に円弧形状の先細部１７が設けられている。
【００７０】
図１２（Ａ）に示す配線用クリップ付電線２Ｅは、前記固定部１５の長手方向の両端部には、前記電線６が露出される露出部２７，２７がそれぞれ設けられている。規制突起１６は、前記固定部１５の全長に亘って設けられている。規制突起１６は、前記電線６に一体的に形成されると共に、前記電線６の外形よりも肉厚の円柱形状に形成されている。
【００７１】
図１２（Ｂ）に示す配線用クリップ付電線２Ｅは、前記固定部１５の長手方向の両端部に、規制突起１６がそれぞれ設けられている。固定部１５は、前記電線６に一体的に形成されると共に、前記電線６の外形よりも肉厚の円柱形状に形成されている。固定部１５の前記両端部には、前記電線６が露出される露出部２７，２７がそれぞれ設けられている。規制突起１６には、前記電線６に当接する突起部２８が設けられている。
【００７２】
このため、配線用クリップ付電線２Ｅが電線束３に組み付けられた時に、規制突起１６が前記電線束３にくい込むため、前記電線束３の外周面４の周方向に前記配線用クリップ２Ｅが移動するのが規制される。
【００７３】
（配線用クリップ付電線の第４の変形例）
配線用クリップ付電線２Ｆは、図１３に示すように、電線６と配線用クリップ５Ｆとを有している。配線用クリップ５Ｆは、電線束３が載置され平面Ｌ字形状の薄板状に形成された載置部１４と、パネルの取付孔に係合可能に形成された係止部１８とを有している。配線用クリップ５Ｆは、可撓性を有するポリプロピレン樹脂などの合成樹脂で構成されている。
【００７４】
載置部１４には、前記電線束３がワイヤハーネス用テープ９によって捲回される時に、前記ワイヤハーネス用テープ９が接着される接着部１９と、前記接着部１９と前記係止部１８とが離間されるオフセット部３７とが設けられている。
【００７５】
載置部１４の接着部１９の上面には、前記電線６が固定される固定部１５と、前記電線束３の外周面４の周方向に前記配線用クリップ５Ｆが移動するのを規制する規制突起１６とが設けられている。載置部１４のオフセット部３７の下面には、前記係止部１８と、前記係止部１８が前記取付孔に係止されると前記パネルを押圧する押圧部２０とが設けられている。
【００７６】
図１３（Ａ）に示す配線用クリップ付電線２Ｆは、固定部１５が、前記接着部１９の全長に亘って設けられている。固定部１５は、電線６に一体的に形成されると共に、前記電線６の外形よりも肉厚の円柱形状に形成されている。規制突起１６は、前記オフセット部３７の幅と略同一幅に形成されている。
【００７７】
図１３（Ｂ）に示す配線用クリップ付電線２Ｆは、固定部１５が、前記接着部１９に設けられている。固定部１５は、前記オフセット部３７の幅と略同一幅に形成されている。固定部１５は、電線６に一体的に形成されると共に、前記電線６の外形よりも肉厚の略円柱形状に形成されている。規制突起１６は、前記固定部１５から立設されている。規制突起１６は、前記固定部１５の全長に亘って形成されている。
【００７８】
このため、パネルに配索されるワイヤハーネスの所要形態が、前記パネルの取付孔から偏倚している場合であっても、前記ワイヤハーネスをその所要形態で前記パネルに取り付けることができる。
【００７９】
また、配線用クリップ付電線２Ｆと電線束３とがワイヤハーネス用テープ９によって捲回され、前記ワイヤハーネス用テープ９と配線用クリップ５とが接着されるため、前記配線用クリップ付電線２Ｆと電線束３との固定が強固となる。
【００８０】
また、接着部１９に設けられた規制突起１６が当該接着部１９の縁端部に立設されているため、電線６と前記接着部１９とをワイヤハーネス用テープ等で捲回した際のズレを更に防止できる。
【００８１】
（配線用クリップ付電線の第５の変形例）
配線用クリップ付電線２Ｇは、図１４に示すように、電線６と、二個の配線用クリップ５Ｇ，５Ｇとを有している。二個の配線用クリップ５Ｇ，５Ｇは、前記電線６が固定される固定部１５を介して連結されている。二個の配線用クリップ５Ｇ，５Ｇは、前記電線６に対する相対的な位置が前記パネルの前記取付孔に係合可能となる位置に設けられている。なお、前記固定部１５を介して、二個よりも多くの配線用クリップ付電線５Ｇを、前記電線６に対する相対的な位置が前記パネルの前記取付孔に係合可能となる位置に設けても良い。
【００８２】
配線用クリップ５Ｇは、電線束３が載置され薄板状に形成された載置部１４と、パネルの取付孔に係合可能に形成された係止部１８とを有している。配線用クリップ５Ｇは、可撓性を有するポリプロピレン樹脂などの合成樹脂で構成されている。
【００８３】
載置部１４の上面には、前記電線６が固定される固定部１５が設けられている。載置部１４の下面には、前記係止部１８と、前記係止部１８が取付孔に係止されると前記パネルを押圧する押圧部２０とが設けられている。固定部１５には、前記電線束３の外周面４の周方向に前記載置部１４が移動するのを規制する規制突起１６が二個設けられている。
【００８４】
図１２（Ａ）に示す配線用クリップ付電線２Ｇは、固定部１５が、電線６に一体的に形成されると共に、前記電線６の外形よりも肉厚の円柱形状に形成されている。
【００８５】
図１２（Ｂ）に示す配線用クリップ付電線２Ｇは、固定部１５が、電線６に一体的に形成されると共に、前記電線６の外形よりも肉厚の円柱形状に形成されている。固定部１５には、前記電線６の一部が露出される露出部３５が複数設けられている。
【００８６】
図１２（Ｃ）に示す配線用クリップ付電線２Ｇは、固定部１５が、電線６に一体的に形成されると共に、前記電線６の外形よりも肉厚の円柱形状に形成されている。固定部１５には、前記電線６の一部が露出される露出部３５が設けられている。
【００８７】
図１２（Ｄ）に示す配線用クリップ付電線２Ｇは、固定部１５が、電線６に一体的に形成されると共に、前記電線６の外形よりも肉厚の円柱形状に形成されている。固定部１５には、前記電線６の一部が露出される露出部３５が設けられている。露出部３５は、前記固定部１５の延長方向に平行する方向に形成されていると共に、前記二個の規制突起１６，１６同士の間に形成されている。露出部３５によって、前記固定部１５が、断面略十字形状に形成されている。
【００８８】
このため、電線６に対する二個の配線用クリップ５Ｇ，５Ｇの相対的な位置が、前記パネルの前記取付孔に係合可能となる位置になるため、二個の配線用クリップ５Ｇ，５Ｇの間隔を前記取付孔に対応して調整する調整作業が不要となる。よって、ワイヤハーネスの製造工程における作業効率が向上する。
【００８９】
（配線用クリップ付電線の第６の変形例）
配線用クリップ付電線２Ｈは、図１５に示すように、電線６と、二個の配線用クリップ５Ｈ，５Ｈとを有している。二個の配線用クリップ５Ｈ，５Ｈは、前記電線６が固定される固定部１５を介して連結されている。二個の配線用クリップ５Ｈ，５Ｈは、前記電線６に対する相対的な位置が前記パネルの前記取付孔に係合可能となる位置に設けられている。なお、前記固定部１５を介して、二個よりも多くの配線用クリップ付電線５Ｈを、前記電線６に対する相対的な位置が前記パネルの前記取付孔に係合可能となる位置に設けても良い。
【００９０】
配線用クリップ５Ｈは、電線束３が載置され平面Ｌ字形状の薄板状に形成された載置部１４と、パネルの取付孔に係合可能に形成された係止部１８とを有している。載置部１４には、前記電線束３に捲回されるワイヤハーネス用テープ９が接着される接着部１９と、前記接着部１９と前記係止部１８とが離間されるオフセット部３７とが設けられている。配線用クリップ５Ｈは、可撓性を有するポリプロピレン樹脂などの合成樹脂で構成されている。
【００９１】
載置部１４の接着部１９の上面には、前記電線６が固定される固定部１５が設けられている。固定部１５は、前記オフセット部３７の幅と略同一幅に形成されている。固定部１５には、前記電線束３の外周面４の周方向に前記載置部１４が移動するのを規制する規制突起１６が設けられている。規制突起１６は、前記固定部１５の全長に亘って設けられている。
【００９２】
載置部１４のオフセット部３７の下面には、前記係止部１８と、前記係止部１８が前記取付孔に係止されると前記パネルを押圧する押圧部２０とが設けられている。
【００９３】
図１２（Ａ）に示す配線用クリップ付電線２Ｈは、二個の配線用クリップ５Ｈ，５Ｈを連結する固定部１５が、電線６に一体的に形成されると共に、前記電線６の外形よりも肉厚の円柱形状に形成されている。
【００９４】
図１２（Ｂ）に示す配線用クリップ付電線２Ｈは、二個の配線用クリップ５Ｈ，５Ｈを連結する固定部１５が、電線６に一体的に形成されると共に、前記電線６の外形よりも肉厚の円柱形状に形成されている。固定部１５には、前記載置部１４と前記固定部１５とに一体的に形成された接着部１９が設けられている。
【００９５】
図１２（Ｃ）に示す配線用クリップ付電線２Ｈは、二個の配線用クリップ５Ｈ，５Ｈを連結する固定部１５が、電線６に一体的に形成されると共に、前記電線６の外形よりも肉厚の円柱形状に形成されている。固定部１５には、電線６が露出される露出部３５が設けられている。固定部１５には、前記載置部１４と前記固定部１５とに一体的に形成された接着部１９が設けられている。
【００９６】
このため、電線６に対する二個の配線用クリップ５Ｈ，５Ｈの相対的な位置が、前記パネルの前記取付孔に係合可能となる位置になるため、二個の配線用クリップ５Ｈ，５Ｈの間隔を前記取付孔に対応して調整する調整作業が不要となる。よって、ワイヤハーネスの製造工程における作業効率が向上する。
【００９７】
また、パネルに配索されるワイヤハーネスの所要形態が、前記パネルの取付孔から偏倚している場合であっても、前記ワイヤハーネスをその所要形態で前記パネルに取り付けることができる。
【００９８】
なお、前述した実施形態および変形例は本発明の代表的な形態を示したに過ぎず、本発明は、実施形態および変形例に限定されるものではない。即ち、本発明の骨子を逸脱しない範囲で種々変形して実施することができる。
【符号の説明】
【００９９】
１  ワイヤハーネス
２  配線用クリップ付電線（外装部品付電線）
３  電線束
４  外周面
５  配線用クリップ（外装部品）
６  電線
１４  載置部
１６  規制突起
１６ａ  壁部
１７  先細部
３１  幅広部
３２  抱持片
【図１】
0005798755.tif 000002
【図２】
0005798755.tif 000003
【図３】
0005798755.tif 000004
【図４】
0005798755.tif 000005
【図５】
0005798755.tif 000006
【図６】
0005798755.tif 000007
【図７】
0005798755.tif 000008
【図８】
0005798755.tif 000009
【図９】
0005798755.tif 000010
【図１０】
0005798755.tif 000011
【図１１】
0005798755.tif 000012
【図１２】
0005798755.tif 000013
【図１３】
0005798755.tif 000014
【図１４】
0005798755.tif 000015
【図１５】
0005798755.tif 000016